(57)【要約】【課題】記録波長で再生した場合と再生波長で再生した場合の再生信号の特性の差異を低減させることができる情報記録方法を提供する。【解決手段】所定の記録変調方式に従った情報に応じてレーザ光源をマルチパルスからなる非連続的なパルス発光波形で発光させて光記録媒体にレーザ光を照射して前記記録変調方式に基づくマーク又はスペースを形成することにより情報を記録する情報記録方法において、３Ｔマークのパルス長が、４Ｔマーク以上のマークの先頭パルス長よりも長く、先頭パルス照射開始時間と最終パルス照射終了時間との差に対する実際のパルス照射時間の割合が０．７以上に設定された前記非連続的なパルス発光波形により前記レーザ光源を発光させるようにした。【選択図】図２
2006236571.tif 000002
【特許請求の範囲】
【請求項１】
所定の記録変調方式に従った情報に応じてレーザ光源をマルチパルスからなる非連続的なパルス発光波形で発光させて光記録媒体にレーザ光を照射して前記記録変調方式に基づくマーク又はスペースを形成することにより情報を記録する情報記録方法において、
３Ｔマークのパルス長が、４Ｔマーク以上のマークの先頭パルス長よりも長く、
先頭パルス照射開始時間と最終パルス照射終了時間との差に対する実際のパルス照射時間の割合が０．７以上に設定された前記非連続的なパルス発光波形により前記レーザ光源を発光させるようにしたことを特徴とする情報記録方法。
【請求項２】
先頭パルスより後のマルチパルスの数は、該マークが、４Ｔマーク以上であるとき、該マークの長さ−３個であることを特徴とする請求項１に記載の情報記録方法。
【発明の詳細な説明】
【技術分野】
【０００１】
本発明は、記録波長と再生波長とが異なる環境で使用され得る記録可能な光記録媒体及びその情報記録方法に関する。
【背景技術】
【０００２】
マルチメディアの普及に伴い、音楽用ＣＤ（Ｃｏｍｐａｃｔ  Ｄｉｓｋ）やＣＤ−ＲＯＭ等の再生専用メディアや光情報再生装置が実用化されている。最近では、色素系メディアを用いた追記型光ディスクや、光磁気メディアを用いた書換え可能なＭＯ（Ｍａｇｎｅｔｉｃ  Ｏｐｔｉｃａｌ）ディスクや相変化型メディアなどが注目されている。また、レーザ光源としての半導体レーザの短波長化や高ＮＡ対物レンズによるスポット径の小径化や薄型基板の採用などにより、ＤＶＤ（Ｄｉｇｉｔａｌ  Ｖｅｒｓａｔｉｌｅ  Ｄｉｓｋ）−ＲＯＭ，ＤＶＤ−Ｒ（Ｒｅｃｏｒｄａｂｌｅ），ＤＶＤ−ＲＡＭ，ＤＶＤ−ＲＷ（Ｒｅｗｒｉｔａｂｌｅ）等の大容量ディスクが実用化段階に入っている。
【０００３】
ここに、例えば、ＤＶＤ−Ｒシステムにおいては、記録波長が６３５ｎｍであり、再生波長が６５０ｎｍであるというように、記録波長と再生波長とが異なるシステム環境とされている。
【０００４】
また、記録波長と再生波長が同一であっても、リムインテンシティの制約によって、同一記録部を再生しても再生専用装置と記録装置で特性が大きく変わってしまうという問題を有している。
【０００５】
ＲＯＭが存在する光ディスクシステム環境においては、記録可能なメディアは、ＲＯＭとの互換性が最も重要である。従って、例えばＤＶＤ−Ｒの場合、ＤＶＤ−ＲＯＭ対応の波長６５０ｎｍの再生専用装置で低ジッタが達成される必要がある。
【０００６】
しかし、再生装置依存性の大きい光記録媒体では、図１２に示すように記録装置（波長６３５ｎｍ）自身で再生した場合のベストジッタが得られる記録条件と、再生専用装置（波長６５０ｎｍ）で再生した場合のベストジッタが得られる記録条件とは大きく異なってしまう場合がある。図１２では、波長６３５ｎｍによる再生では記録パワー１０．３ｍＷ近傍で記録した部分でベストジッタが得られるが、波長６５０ｎｍでは記録パワー１１．０ｍＷ近傍で記録した部分でベストジッタが得られる例が示されている。
【０００７】
図示例の場合、波長６３５ｎｍでベストジッタが得られる記録パワー１０．３ｍＷ近傍で記録することでジッタ１２．０％が得られても、波長６５０ｎｍで再生した場合には、ジッタが１５．０％程度になってしまう。また、ジッタ値自体も波長６３５ｎｍの場合に比べて、波長６５０ｎｍの場合のジッタは大幅に悪化してしまっていることが分かる。
【０００８】
かといって、再生専用装置（波長６５０ｎｍ）でベストジッタが得られるような記録を記録装置（波長６３５ｎｍ）で記録することは不可能である。なぜなら、再生専用装置（波長６５０ｎｍ）でベストジッタが得られるような記録を行うためには、記録装置（波長６３５ｎｍ）では意図的に良好でない記録を行わなければならず、アシンメトリやβ値などで管理する通常の記録方法では対応できなくなるためである。
【０００９】
この点、予めアシンメトリやβ値などにオフセットを持たせて記録する方法も考えられるが、そのオフセット量を決める方法が明確でないことや、記録装置自身でのデ−タ再生が不可能になる可能性があるため実用的ではない。
【００１０】
以上のように、問題なのは記録装置と再生装置によってジッタ値が異なることだけではなく、記録装置と再生装置によって最適な記録状態が異なることにある。
【発明の開示】
【発明が解決しようとする課題】
【００１１】
そこで、本発明は、記録波長と再生波長とが異なる環境で使用される場合に、記録波長で再生した場合と再生波長で再生した場合の再生信号の特性の差異を低減させることができる情報記録方法及び光記録媒体を提供することを目的とする。
【００１２】
或いは、記録装置と再生専用装置が独立に存在する場合に、記録装置で再生した場合と再生専用装置で再生した場合の再生信号の特性の差異を低減させることができる情報記録方法及び光記録媒体を提供することを目的とする。
【００１３】
また、本発明は、変調度が高くＲＯＭとの互換性をより一層高めることができる情報記録方法及び光記録媒体を提供することを目的とする。
【００１４】
さらに、本発明は、パルス発光波形ストラテジの変動マージンの高い情報記録方法及び光記録媒体を提供することを目的とする。
【課題を解決するための手段】
【００１５】
請求項１に記載の発明は、所定の記録変調方式に従った情報に応じてレーザ光源をマルチパルスからなる非連続的なパルス発光波形で発光させて光記録媒体にレーザ光を照射して前記記録変調方式に基づくマーク又はスペースを形成することにより情報を記録する情報記録方法において、３Ｔマークのパルス長が、４Ｔマーク以上のマークの先頭パルス長よりも長く、先頭パルス照射開始時間と最終パルス照射終了時間との差に対する実際のパルス照射時間の割合が０．７以上に設定された前記非連続的なパルス発光波形により前記レーザ光源を発光させるようにしたことを特徴とする情報記録方法である。
【００１６】
請求項２に記載の発明は、請求項１に記載の情報記録方法において、先頭パルスより後のマルチパルスの数は、該マークが、４Ｔマーク以上であるとき、該マークの長さ−３個であることを特徴とする。
【発明の効果】
【００１７】
本発明の一つの態様によれば、記録波長で再生した場合と再生波長で再生した場合の再生信号の特性の差異を低減させることができる情報記録方法を提供することができる。
【発明を実施するための最良の形態】
【００１８】
本発明の第一の実施形態は、所定の記録変調方式に従った情報に応じてレーザ光源をマルチパルスからなる非連続的なパルス発光波形で発光させて光記録媒体にレーザ光を照射して前記記録変調方式に基づくマーク又はスペースを形成することにより情報を記録する情報記録方法において、先頭パルス照射開始時間と最終パルス照射終了時間との差に対する実際のパルス照射時間の割合が０．７以上に設定された前記非連続的なパルス発光波形により前記レーザ光源を発光させるようにしたことを特徴とする情報記録方法である。
【００１９】
従って、先頭パルス照射開始時間と最終パルス照射終了時間との差に対する実際のパルス照射時間の割合を０．７以上に設定して記録状態を最適化することにより、再生装置の解像力の差による最適記録状態の変動を抑制することができ、再生互換性が高くなる。また、最適記録状態が再生装置の解像力の差に大きく依存しないため、記録時のＯＰＣ等の記録管理も簡便で済み、記録の信頼性も高め得る。さらには、高い変調度を得ることも可能であり、ＲＯＭ用の再生専用装置との互換性を高め得る上に、ストラテジ変動マージンも広げることができる。
【００２０】
本発明の第二の実施形態は、本発明の第一の実施形態の情報記録方法において、少なくとも最長マークを記録するためのパルス発光波形の場合に、先頭パルス照射開始時間と最終パルス照射終了時間との差に対する実際のパルス照射時間の割合が０．７以上に設定された前記非連続的なパルス発光波形を用いるようにしたことを特徴とする情報記録方法である。
【００２１】
従って、基本的には本発明の第一の実施形態と同様であるが、特に、少なくとも最長マークを記録するためのパルス発光波形の場合に上記の条件を満たすようにしたので、それよりも短いマーク全てについて条件を満たすこととなり、より一層良好なる再生互換性を確保することができる。
【００２２】
本発明の第三の実施形態は、所定の記録変調方式に従った情報に応じてレーザ光源をマルチパルスからなる非連続的なパルス発光波形で発光させたレーザ光が照射されて前記記録変調方式に基づくマーク又はスペースが形成されることにより情報が記録される光記録媒体において、先頭パルス照射開始時間と最終パルス照射終了時間との差に対する実際のパルス照射時間の割合が０．７以上に設定された前記非連続的なパルス発光波形で前記レーザ光源を発光させたレーザ光により情報が記録されることを特徴とする光記録媒体である。
【００２３】
従って、先頭パルス照射開始時間と最終パルス照射終了時間との差に対する実際のパルス照射時間の割合が０．７以上に設定されて記録状態が最適化されて情報が記録されることにより、再生装置の解像力の差による最適記録状態の変動を抑制することができ、再生互換性の高い光記録媒体となる。また、最適記録状態が再生装置の解像力の差に大きく依存しないため、記録時のＯＰＣ等の記録管理も簡便で済み、記録の信頼性も高め得る。さらには、高い変調度を得ることも可能であり、ＲＯＭ用の再生専用装置との互換性を高め得る上に、ストラテジ変動マージンの広い光記録媒体となる。
【００２４】
本発明の第四の実施形態は、本発明の第三の実施形態の光記録媒体において、少なくとも最長マークを記録するためのパルス発光波形の場合に、先頭パルス照射開始時間と最終パルス照射終了時間との差に対する実際のパルス照射時間の割合が０．７以上に設定されて情報が記録されることを特徴とする光記録媒体である。
【００２５】
従って、基本的には本発明の第三の実施形態と同様であるが、特に、少なくとも最長マークを記録するためのパルス発光波形の場合に上記の条件を満たすようにしたので、それよりも短いマーク全てについて条件を満たすこととなり、より一層良好なる再生互換性が確保された光記録媒体となる。
【００２６】
本発明の第五の実施形態は、記録可能な本発明の第三又は第四の実施形態の光記録媒体において、記録装置のビームよりも小径のビームを用いる再生専用装置により再生されることを特徴とする記録可能な光記録媒体である。
【００２７】
従って、記録波長と再生波長とが同一である環境で使用される場合であっても、再生装置間での再生信号の特性の差異を低減させることができる光記録媒体であるのはもちろんであるが、特に、記録波長と再生波長とが異なる環境で使用される場合に、記録波長で再生した場合と再生波長で再生した場合の再生信号の特性の差異を低減させることができる光記録媒体となる。
【００２８】
本発明の一実施の形態を図１及び図２に基づいて説明する。
【００２９】
＜分析＞
まず、本発明者は、前述したように再生互換性が低下する原因は、再生する光ピックアップの解像力（ビーム径の大小）にあることを見出した。即ち、解像力に差があることによってアシンメトリが異なって見えるため、ジッタ値やジッタの記録パワー依存性等が大きく異なることになる。解像力の差自体は光ピックアップに固有のものであるから、光記録媒体側では取り除けないが、解像力の差の影響によるアシンメトリ変動は、短マークと長マークの記録状態差（例えば記録層における深さ方向の記録領域の大きさの差や変化量の差など）によってもその変動量がより大きくなることを見出した。つまり、短マークと長マークの記録状態差を低減することによって、再生する光ピックアップの解像力の差による最適記録状態の変動を最低限に抑制させることができることを見出したものである。
【００３０】
＜現状＞
ところで、現在市場に出回っている波長６３５ｎｍ近傍の半導体レーザを搭載した光ピックアップと波長６５０ｎｍ近傍の半導体レーザを搭載した再生専用の光ピックアップとを比較すると、同一の開口数ＮＡの対物レンズを用いても、リムインテンシティの関係上、解像力は波長６５０ｎｍ近傍の半導体レーザを搭載した光ピックアップの方が高く、現状では低解像度の光ピックアップで記録を行い、高解像度の光ピックアップで再生するシステム環境となっている。
【００３１】
本実施の形態は、このように記録装置のビーム径が再生専用装置のビーム径よりも大きい場合（＝記録装置のビーム径に対して再生専用装置のビーム径が小さい場合）に有効であり、このような関係は以下の場合或いは以下の場合の組合せにより発生する。即ち、
（１）記録時のレーザ波長が再生時のレーザ波長よりも長波長である場合
（２）記録装置の光ピックアップの開口数ＮＡが再生専用装置の光ピックアップの開口数ＮＡよりも小さい場合
（３）記録装置の光ピックアップのリムインテンシティが再生専用装置の光ピックアップのリムインテンシティよりも小さい場合である。
【００３２】
例えば、ＤＶＤ−Ｒシステムの場合は、（３）が最も該当し、記録装置のビーム径が再生専用装置のビーム径よりも大きくなる（再生専用装置では、大きなレーザパワーを必要としないため、ケラレを大きくしてビームを平面波に近づけ、また、ビーム径を小さくしている）。
【００３３】
本実施の形態でいうビーム径の大小は、同一記録部の短マーク振幅やジッタマージンの広さから判定する。即ち、同一記録部を再生した場合、短マーク振幅（例えば３Ｔ振幅）が大きく見える光ピックアップほどビーム径が小さいと判定できる。或いは、記録条件を系列的に変えて（例えば、記録パワーや記録パルス幅、記録線密度など）記録した場合、これらの系列的に変化させた条件の変動に対するジッタ変化が小さい光ピックアップほどビーム径が小さいと判定できる。
【００３４】
＜再生互換性を高める方法＞
次に、低解像度の光ピックアップで記録を行い、高解像度の光ピックアップで再生するシステム環境において，再生互換性を高める方法について説明する。
【００３５】
ビーム径に対して十分な長さを有する長マークの変調度は解像力に対しさほど敏感でないが、ビーム径に対して十分な長さを有さない短マークの変調度は、光ピックアップの解像力に対し非常に敏感である。
【００３６】
そこで、例えば一般的なパルス発光波形であるＥＦＭ（Ｅｉｇｈｔ  ｔｏ  Ｆｏｕｒｔｅｅｎ  Ｍｏｄｕｌａｔｉｏｎ）変調方式の場合において、記録密度（記録線速度）を変えて、最短データ及び最長データである３Ｔ，１４Ｔの変調度がどう変動するかを調べた結果を、図１に示す（なお、この実験では、高記録線速度で記録パワーが低下する現象を排除するため、１４Ｔ変調度がほぼ同一になるように記録パワーを設定した）。この結果からも、解像力によって、特に短マークの変調度が大きく変化することがわかる。
【００３７】
このように短マークと長マークの変調度差は解像力によって必ず変化してしまい、この変化は避けることができない。
【００３８】
しかし一方、短マークと長マークの変調度差が解像力によって変化する現象は、短マークと長マーク間の記録状態に差が存在すると、より大きくなることを見出したのである。
【００３９】
記録層の温度分布はマーク長によって異なり、長マークに対して短マーク（特に最短マーク）は記録層の温度が上昇しずらい。
【００４０】
従って、基板変形量や色素分解量は記録マーク長によって（特に長マークと最短マーク間で）異なる。
【００４１】
例えば、光学定数の波長依存性の大きい記録層の未分解領域の大きさが記録マーク長によって異なると、短マークと長マークの変調度差は解像力によって大きく変化することになる。
【００４２】
従って、再生互換性を高めるためには、長マークと短マークの記録状態差を低減するような記録を行う必要があるわけである。
【００４３】
本発明では、マルチパルス記録において、先頭パルス照射開始時間と最終パルス照射終了時間との差に対する実際のパルス照射時間の割合を０．７以上に設定すると、必然的に短マーク形成用の最適パルス長が長くなり（絶対値も、また長マークに対する相対値も長くなる）、これによって長マークと短マークの記録状態差の低減が行えることを見出した。
【００４４】
なお、本実施の形態或いは本発明でいう先頭パルス照射開始時間と最終パルス照射終了時間との差に対するパルス照射時間の割合とは、図２に示すようなマルチパルスからなる非連続なパルス発光波形（ストラテジ）において、先頭パルス照射開始時間ｔｓｔｏｐと最終パルス照射終了時間ｔｅｅｎｄとの時間差に対する実際にパルスが照射される時間Ｔｔｏｐ＋Ｔｍｐ＊（マルチパルスの数）の割合のことである。マルチパルスの数は、ＤＶＤ  Ｓｐｅｃｉｆｉｃａｔｉｏｎｓ  ｆｏｒ  Ｒｅｃｏｒｄａｂｌｅ  Ｄｉｓｋ  （ＤＶＤ−Ｒ）  Ｐａｒｔ１  ＰＨＹＳＩＣＡＬ  ＳＰＥＣＩＦＩＣＡＴＩＯＮＳ  Ｖｅｒｓｉｏｎ  １．０  Ｊｕｌｙ  １９９７に記載された記録ストラテジを用いる場合、４Ｔマーク以上でＴｗｄ−３であり（Ｔｗｄは記録したいマークの長さ（Ｔ）である）、例えば６Ｔマークのパルス発光波形の場合は、１つの先頭パルスと３つのマルチパルスから構成される。
【実施例１】
【００４５】
上述の実施の形態を裏付ける実施例について、図３ないし図１１を参照して説明する。
【００４６】
まず、初めに、本実施例で用いる装置の再生能力の差（ビーム径の大小）を確認し、記録装置のビーム径が再生専用装置のビーム径よりも大きいことを確認した。記録／再生装置にはパルステック工業株式会社製のＤＤＵ−１０００（波長６３５ｎｍ，ＮＡ０．６０，１／ｅ２［タンジェンシャル］０．８８μｍ，１／ｅ２［ラジアル］０．８９μｍ，リムインテンシティ［タンジェンシャル］０．５６３，リムインテンシティ［ラジアル］０．４２６），再生専用装置にはパルステック工業株式会社製のＤＤＵ−１０００（波長６５０ｎｍ，ＮＡ０．６０，１／ｅ２［タンジェンシャル］０．８９μｍ，１／ｅ２［ラジアル］０．９３μｍ，リムインテンシティ［タンジェンシャル］０．９７４，リムインテンシティ［ラジアル］０．６２８）を用いた。
【００４７】
また、図３に示すように、厚さ０．６ｍｍ、トラックピッチ０．７４μｍのポリカーボネート基板１上（４．７ＧＢ対応）に化１で示すような化学構造式で示されるアゾ金属錯体を記録層２としてスピンコートによって成膜し、その上にスパッタにより金反射層３、さらに紫外線硬化型樹脂からなる保護層４を設け、光記録媒体５を作成した。
【００４８】
【化１】
2006236571.tif 000003
【００４９】
このような構成の光記録媒体５に対し、同一記録ストラテジを用いて、波長６３５ｎｍの記録装置で回転線速度（ＣＬＶ  ３．３ｍ／ｓ〜３．８ｍ／ｓ）と記録パワー（８〜１１ｍＷ）を変えて記録を行った。
【００５０】
このようにして記録された記録部分を波長６３５ｎｍで再生した場合と、波長６５０ｎｍで再生した場合のジッタ特性を図４及び図５に示す。なお、ジッタ特性の測定には横河電機株式会社製のタイムインターバルアナライザＴＡ３２０を用いた。
【００５１】
この結果、ジッタの記録線密度依存性の差から、波長６５０ｎｍの再生装置が解像力が高いことが確認され、明らかに再生装置によって再生特性が変わることが確かめられた。
【００５２】
次に、本発明のストラテジ設定の効果を確認する実験を行った。前述の場合と同様に、厚さ０．６ｍｍ、トラックピッチ０．７４μｍのポリカーボネート基板１上（４．７ＧＢ対応）に前述の化１で示したような化学構造式で示されるアゾ金属錯体を記録層２としてスピンコートによって成膜し、その上にスパッタにより金反射層３、さらに紫外線硬化型樹脂からなる保護層４を設け、光記録媒体５を作成した。
【００５３】
この光記録媒体５に対しＤＶＤ  Ｓｐｅｃｉｆｉｃａｔｉｏｎｓ  ｆｏｒ  Ｒｅｃｏｒｄａｂｌｅ  Ｄｉｓｋ  （ＤＶＤ−Ｒ）  Ｐａｒｔ１  ＰＨＹＳＩＣＡＬ  ＳＰＥＣＩＦＩＣＡＴＩＯＮＳ  Ｖｅｒｓｉｏｎ  １．０  Ｊｕｌｙ  １９９７に記載された記録設定条件を用い、前述のパルステック工業製のＤＤＵ−１０００（波長６３５ｎｍ、ＮＡ０．６０）によって記録を行い、パルステック工業製のＤＤＵ−１０００（波長６３５ｎｍ，ＮＡ０．６０，再生パワー０．７ｍＷ）とパルステック工業製のＤＤＵ−１０００（波長６５０ｎｍ，ＮＡ０．６０，再生パワー０．３ｍＷ）を用いて各々ジッタを測定した。
【００５４】
なお、ストラテジ設定は３Ｔｔｏｐ−４Ｔｔｏｐ−ＭＰ（４Ｔｔｏｐとは４Ｔ以上に用いる先頭パルス長のことである）が、１．０２−１．０３−０．６０（Ｔ），１．１２−１．１０−０．７０（Ｔ），１．２８−１．２４−０．８０（Ｔ）という３つの異なる条件を用い、各々のストラテジで記録した部分のジッタ特性の装置間差を測定した結果を図６Ｒ＞６ないし図８に示す。この時、各々のストラテジ設定条件での先頭パルス照射開始時間ｔｓｔｏｐと最終パルス照射終了時間ｔｅｅｎｄの差Ｌ１（＝ｔｓｔｏｐ−ｔｅｅｎｄ）に対するパルス照射時間Ｌ２（＝Ｔｔｏｐ＋Ｔｍｐ＊（Ｔｗｄ−３））の割合Ｌ２／Ｌ１を表１ないし表３に示す。
【００５５】
【表１】
2006236571.tif 000004
【００５６】
【表２】
2006236571.tif 000005
【００５７】
【表３】
2006236571.tif 000006
【００５８】
これらの図６ないし図８及び表１ないし表３に示す結果によれば、波長６５０ｎｍにおけるジッタ特性と波長６３５ｎｍにおけるジッタ特性の差が、マルチパルス長ＭＰの増加とともに改善されることがわかる。即ち、先頭パルス照射開始時間ｔｓｔｏｐと最終パルス照射終了時間ｔｅｅｎｄの差Ｌ１（＝ｔｓｔｏｐ−ｔｅｅｎｄ）に対するパルス照射時間Ｌ２（＝Ｔｔｏｐ＋Ｔｍｐ＊（Ｔｗｄ−３））の割合Ｌ２／Ｌ１が０．７以上になると、最短マーク形成のための最適パルス長３Ｔｔｏｐも長くなり（絶対値も、また４Ｔｔｏｐに対する３Ｔｔｏｐも長くなる）、ジッタの記録パワー依存性曲線の差異が再生装置間で小さくなり、再生互換性が高まることが確認できたものである（波長６３５ｎｍで記録し、再生して最適条件を求めて記録した部分が、波長６５０ｎｍで再生した時も最適記録状態である。特に、図７及び表２に示すように、最長マーク１４Ｔを記録する場合に割合Ｌ２／Ｌ１が０．７以上（ここでは、０．７３）であれば、それよりも短いマーク全てについて割合Ｌ２／Ｌ１が０．７以上となるので、好ましい。
【００５９】
また、ストラテジ設定３Ｔｔｏｐ−４Ｔｔｏｐ−ＭＰが、１．０２−１．０３−０．６０（Ｔ），１．１２−１．１０−０．７０（Ｔ）の場合の変調度を測定した結果、図９及び図１０に示すようになり（なお、図中の横軸は記録パワーを最適記録パワーＰｏで規格化した値である）、本実施例の光記録媒体５或いはこの光記録媒体５に対する記録方法により、変調度が十分大きく、ＲＯＭとの互換性をより一層高め得る効果があることが確認できたものである。
【００６０】
さらに、ストラテジ設定３Ｔｔｏｐ−４Ｔｔｏｐ−ＭＰが、１．０２−１．０３−０．６０（Ｔ），１．１２−１．１０−０．７０（Ｔ），１．２８−１．２４−０．８０（Ｔ）という３つの異なる条件を用いて、４Ｔｔｏｐ長が変化した場合のジッタ変化を測定した結果を図１１に示す。なお，横軸はベストジッタが得られる４Ｔｔｏｐ長に対するパルス長の比であり、縦軸はベストジッタに対するジッタの比である。
【００６１】
この結果から、先頭パルス照射開始時間ｔｓｔｏｐと最終パルス照射終了時間ｔｅｅｎｄの差Ｌ１（＝ｔｓｔｏｐ−ｔｅｅｎｄ）に対するパルス照射時間Ｌ２（＝Ｔｔｏｐ＋Ｔｍｐ＊（Ｔｗｄ−３））の割合Ｌ２／Ｌ１を０．７以上に設定すると、最短マーク形成のための最適パルス長３Ｔｔｏｐも長くなり（絶対値も、また４Ｔｔｏｐに対する３Ｔｔｏｐも長くなる）、パルス長の変化に対してもジッタマージンが広がることが確認できたものである。
【００６２】
ちなみに、図１１に示す例で、マルチパルス長が０．８０（Ｔ）の場合に、ベストジッタ値が若干悪くなったのは、ストラテジの最適化を十分行わなかったためであり、本質的な問題ではない。
【００６３】
本発明の第一の実施形態の情報記録方法によれば、先頭パルス照射開始時間と最終パルス照射終了時間との差に対する実際のパルス照射時間の割合を０．７以上に設定して記録状態を最適化したので、再生装置の解像力の差による最適記録状態の変動を抑制することができ、再生互換性を高くすることができ、また、最適記録状態が再生装置の解像力の差に大きく依存しないため、記録時のＯＰＣ等の記録管理も簡便で済み、記録の信頼性も高めることができ、さらには、高い変調度を得ることもでき、ＲＯＭ用の再生専用装置との互換性を高めることができる上に、ストラテジ変動マージンも広げることができる。
【００６４】
本発明の第二の実施形態の情報記録方法によれば、基本的には本発明の第一の実施形態と同様であるが、特に、少なくとも最長マークを記録するためのパルス発光波形の場合に上記の条件を満たすようにしたので、それよりも短いマーク全てについて条件を満たすこととなり、より一層良好なる再生互換性を確保することができる。
【００６５】
本発明の第三の実施形態の光記録媒体によれば、先頭パルス照射開始時間と最終パルス照射終了時間との差に対する実際のパルス照射時間の割合が０．７以上に設定されて記録状態が最適化されて情報が記録されるので、再生装置の解像力の差による最適記録状態の変動を抑制することができ、再生互換性の高い光記録媒体を提供でき、また、最適記録状態が再生装置の解像力の差に大きく依存しないため、記録時のＯＰＣ等の記録管理も簡便で済み、記録の信頼性を高めることができ、さらには、高い変調度を得ることもでき、ＲＯＭ用の再生専用装置との互換性を高めることができる上に、ストラテジ変動マージンの広い光記録媒体を提供することができる。
【００６６】
本発明の第四の実施形態の光記録媒体によれば、基本的には本発明の第三の実施形態と同様であるが、特に、少なくとも最長マークを記録するためのパルス発光波形の場合に上記の条件を満たすようにしたので、それよりも短いマーク全てについて条件を満たすこととなり、より一層良好なる再生互換性が確保された光記録媒体を提供することができる。
【００６７】
本発明の第五の実施形態によれば、記録波長と再生波長とが同一である環境で使用される場合であっても、再生装置間での再生信号の特性の差異を低減させることができる光記録媒体であるのはもちろんであるが、特に、記録波長と再生波長とが異なる環境で使用される場合に、記録波長で再生した場合と再生波長で再生した場合の再生信号の特性の差異を低減させることができる光記録媒体を提供することができる。
【図面の簡単な説明】
【００６８】
【図１】本発明の一実施の形態に関して記録線速度に応じたＲｆレベルの変動の測定結果を示すグラフである。
【図２】パルス発光波形例を示すパルス波形図である。
【図３】本発明の一実施例を示す光記録媒体の断面構成図である。
【図４】波長６３５ｎｍで再生した場合のジッタ特性図である。
【図５】波長６５０ｎｍで再生した場合のジッタ特性図である。
【図６】１．０２−１．０３−０．６０（Ｔ）なるストラテジで記録した場合のジッタ特性図である。
【図７】１．１２−１．１０−０．７０（Ｔ）なるストラテジで記録した場合のジッタ特性図である。
【図８】１．２８−１．２４−０．８０（Ｔ）なるストラテジで記録した場合のジッタ特性図である。
【図９】１．０２−１．０３−０．６０（Ｔ）なるストラテジで記録した場合の変調度特性図である。
【図１０】１．１２−１．１０−０．７０（Ｔ）なるストラテジで記録した場合の変調度特性図である。
【図１１】各々異なるストラテジで記録した場合の４Ｔｔｏｐ長が変化した場合のジッタ変化を示す特性図である。
【図１２】記録波長と再生波長とで再生した場合の従来のジッタ特性図である。
【符号の説明】
【００６９】
５  光記録媒体
ｔｓｔｏｐ  先頭パルス照射開始時間
ｔｅｅｎｄ  最終パルス照射終了時間
【図１】
2006236571.tif 000007
【図２】
2006236571.tif 000008
【図３】
2006236571.tif 000009
【図４】
2006236571.tif 000010
【図５】
2006236571.tif 000011
【図６】
2006236571.tif 000012
【図７】
2006236571.tif 000013
【図８】
2006236571.tif 000014
【図９】
2006236571.tif 000015
【図１０】
2006236571.tif 000016
【図１１】
2006236571.tif 000017
【図１２】
2006236571.tif 000018